(57)【要約】【課題】本発明は、従来にない作用効果を発揮する画期的な太陽電池装置及び太陽電池装置を具備した照明装置を提供することを目的とする。【解決手段】支柱部１に発光部２を設けた照明装置３に設けられる太陽電池装置Ｓであって、この太陽電池装置Ｓには受光部４が設けられ、この受光部４は適度な可撓性を有する面状体で構成され、更に、この受光部４は前記支柱部１に巻回状態で配設されているものである。【選択図】図２
2009009913.tif 000002
【特許請求の範囲】
【請求項１】
支柱部に発光部を設けた照明装置に設けられる太陽電池装置であって、この太陽電池装置には受光部が設けられ、この受光部は適度な可撓性を有する面状体で構成され、更に、この受光部は前記支柱部に巻回状態で配設されていることを特徴とする太陽電池装置。
【請求項２】
請求項１記載の太陽電池装置において、前記受光部は前記支柱部に被嵌状態で付設される被嵌体を介して前記支柱部に巻回状態で配設されており、この被嵌体の内面には前記支柱部の周面に対して接離移動して当接する当接部が設けられていることを特徴とする太陽電池装置。
【請求項３】
請求項２記載の太陽電池装置において、前記当接部は、任意の径の支柱部に前記被嵌体を被嵌した後、内方に押圧することで前記支柱部に当接するものであり、更に、この当接部と前記支柱部との当接を保持する保持部材が具備せしめられていることを特徴とする太陽電池装置。
【請求項４】
請求項２，３いずれか１項に記載の太陽電池装置において、前記当接部は前記被嵌体の内面に等間隔で複数設けられていることを特徴とする太陽電池装置。
【請求項５】
請求項１〜４いずれか１項に記載の太陽電池装置で得られる電力により前記発光部が発光するように構成されていることを特徴とする太陽電池装置を具備した照明装置。
【発明の詳細な説明】
【技術分野】
【０００１】
本発明は、太陽電池装置及び太陽電池装置を具備した照明装置に関するものである。
【背景技術】
【０００２】
従来から、街路灯や照明灯などの支柱部の上部に発光部を設けた照明装置として、例えば特開２００３−１５１３２０号に開示される太陽電池装置を具備した照明装置（以下、従々来例）が提案されており、この従々来例は高速道路や山間部の道路などといった作動に必要な電力が得にくい箇所では特に有効であり、しかも、クリーンエネルギーの利用となるため環境的にも秀れたものとされる。
【０００３】
ところで、この従々来例は、パネル状の受光部（ソーラーセル）で受光した光を電力に変換し、この電力により発光部が発光する構造であるが、この発光部における発光量を増量すべく受光部を大型化すると、それだけ受光部で受ける風圧が強くなってしまい、よって、この受光部が強風に煽られることで例えば支柱部との連結部位が破損し易いなどの問題点がある。
【０００４】
そこで、従来、例えば特開２００６−２１０６６６号に開示されるような細長板状とした複数のパネルを支柱部の周面に配設して受光部を構成した太陽電池装置（以下、従来例）が提案されており、この従来例は、受光部で受けた風圧は支柱部の周面で受けることになり、よって、受光部を大型化しても支柱部が破損しにくい構造とされる。
【０００５】
【特許文献１】特開２００３−１５１３２０号公報
【特許文献２】特開２００６−２１０６６６号公報
【発明の開示】
【発明が解決しようとする課題】
【０００６】
ところが、この従来例は、受光部を構成するパネル同士を連結する作業が厄介である為、支柱部の受光部の取り付け作業性が極めて悪く、しかも、その構造上、決まったサイズや断面形状の支柱部にしか受光部を付設することができない（既に設置された既存の照明装置３の支柱部１に配設するのは困難）という問題点がある。
【０００７】
本発明は、前述した問題点を解消する、従来にない作用効果を発揮する画期的な照明装置に設けられる太陽電池装置及び太陽電池装置を具備した照明装置を提供する。
【課題を解決するための手段】
【０００８】
添付図面を参照して本発明の要旨を説明する。
【０００９】
支柱部１に発光部２を設けた照明装置３に設けられる太陽電池装置Ｓであって、この太陽電池装置Ｓには受光部４が設けられ、この受光部４は適度な可撓性を有する面状体で構成され、更に、この受光部４は前記支柱部１に巻回状態で配設されていることを特徴とする太陽電池装置に係るものである。
【００１０】
また、請求項１記載の太陽電池装置において、前記受光部４は前記支柱部１に被嵌状態で付設される被嵌体５を介して前記支柱部１に巻回状態で配設されており、この被嵌体５の内面には前記支柱部１の周面に対して接離移動して当接する当接部６が設けられていることを特徴とする太陽電池装置に係るものである。
【００１１】
また、請求項２記載の太陽電池装置において、前記当接部６は、任意の径の支柱部１に前記被嵌体５を被嵌した後、内方に押圧することで前記支柱部１に当接するものであり、更に、この当接部６と前記支柱部１との当接を保持する保持部材10が具備せしめられていることを特徴とする太陽電池装置に係るものである。
【００１２】
また、請求項２，３いずれか１項に記載の太陽電池装置において、前記当接部６は前記被嵌体５の内面に等間隔で複数設けられていることを特徴とする太陽電池装置に係るものである。
【００１３】
また、請求項１〜４いずれか１項に記載の太陽電池装置で得られる電力により前記発光部２が発光するように構成されていることを特徴とする太陽電池装置を具備した照明装置に係るものである。
【発明の効果】
【００１４】
本発明は上述のように構成したから、支柱部への受光部の取り付け作業性が極めて良好であり、しかも、種々異なるサイズや断面形状の支柱部に対応して受光部を確実に配設することができるなど従来にない作用効果を発揮する画期的な太陽電池装置及び太陽電池装置を具備した照明装置となる。
【発明を実施するための最良の形態】
【００１５】
好適と考える本発明の実施形態を、図面に基づいて簡単に説明する。
【００１６】
太陽電池装置Ｓの受光部４で受光した光は電力に変換され、この太陽電池装置Ｓにより得られた電力により照明装置３の発光部２（支柱部１に設けられた発光部２）は発光する。
【００１７】
ところで、本発明の太陽電池装置Ｓに設けられる受光部４は、適度な可撓性を有する面状体で構成され、この受光部４は前記支柱部１に巻回状態で配設されている。
【００１８】
従って、照明装置３の支柱部１への受光部４の設置は、従来例のように受光部を構成する複数のパネルを連結したりすることなく、適度な可撓性を有する面状体から成る受光部４を支柱部１に巻回状態で配設するだけで良いから、支柱部１に対する受光部４の取り付けが極めて簡易となり、支柱部１への受光部４の取り付け作業性が極めて良好となる。しかも、受光部４は適宜な可撓性を有するから、種々異なるサイズや断面形状の支柱部１に対応して確実に配設することができる（既に設置される照明装置３の支柱部１にも確実に配設できる。）。
【実施例】
【００１９】
本発明の具体的な一実施例について図面に基づいて説明する。
【００２０】
本実施例は、支柱部１の上部に発光部２を設けた照明装置３に設けられる太陽電池装置Ｓである。尚、図１に図示したように照明装置３として既存の街路灯を採用しているが、本実施例の特性を発揮する構成であれば適宜採用し得るものである。
【００２１】
具体的には、太陽電池装置Ｓは、図７に図示したように受光した光を電力に変換する機能を具備した受光部４（太陽電池）と、この受光部４に接続され各種機能（過充電防止機能、日没タイマー機能、日没検知機能、タイマー照明消灯機能及びＤＣ／ＡＣ変換機能）を具備した制御ユニット８と、この制御ユニット８に接続されるバッテリー９とで構成されており、照明装置３の発光部２（ＬＥＤ照明）に接続されている。
【００２２】
受光部４は、図１，２に図示したように適度な可撓性を有する面状体で構成している。
【００２３】
具体的には、受光部４として、アモルファス系シリコン太陽電池（ソーラーセル）から成る方形面状の受光部４を採用しており、後述する被嵌体５に巻回状態で配設するに適した可撓性を有し、且つ、軽量で耐光性にも秀れている。
【００２４】
また、受光部４の端部には、＋の配線コネクタ４ａと−の配線コネクタ４ｂが延設され、この各配線コネクタ４ａ、４ｂは制御ユニット８に接続される。
【００２５】
また、受光部４は、支柱部１に被嵌状態で配設される被嵌体５を介して支柱部１に巻回状態で配設される。
【００２６】
また、受光部４は支柱部１の周方向にはつなぎ目のない一枚物が用いられる。尚、上下方向（長さ方向）には所定の長さとし、受光部４の長さの上下長を有する受光部４を用いれば一枚で良いし、複数つないでも良い。
【００２７】
被嵌体５は、図２〜６に図示したように適宜な金属製の板材をＣ字状に形成したものであり、このＣ字状とすることで形成される切欠部位から支柱部１に対して被嵌することになる。
【００２８】
また、本実施例の被嵌体５は複数設けられている。具体的には、本実施例では、被嵌体５を支柱部１の上下所定位置に一対配設し、この一対の被嵌体５夫々に架設されるように一枚の受光部４を巻回状態で配設する。
【００２９】
また、被嵌体５の外面には、ビスやネジなどの止着部材（図示省略）を介して前述した受光部４が止着される。
【００３０】
また、被嵌体５の内面には、支柱部１の周面に対して接離移動して当接する当接部６が設けられている。
【００３１】
この当接部６は、図２〜６に図示したように被嵌体５の内面三箇所にして等間隔の位置に設けられており、被嵌体５の内面に突設した突片５ａに枢着される擺動部材６ａと、この擺動部材６ａの先端部に枢着され凹湾曲面６ｂ’を有する当接部材６ｂとで構成されている。この凹湾曲面６ｂ’は上下方向所定長を有し、巾方向に湾曲するものである（湾曲度合いは、支柱部１の外周面に合致する湾曲度合いである。）。
【００３２】
従って、当接部６は、被嵌体５を支柱部１に被嵌した際、擺動部材６ａの擺動により当接部材６ｂが支柱部１の周面に対して接離移動自在となる。従って、各当接部６はこの当接部材６ｂの接離移動により、支柱部１の径に対応し得ることになる。図３，４は径小の支柱部１に付設した状態であり、図５，６は径大の支柱部１に付設した状態であり、一本の支柱部１においても部位によって径が異なることがあり、この点においても確実に対応し得ることになる。
【００３３】
また、各当接部６は、当接部材６ｂを支柱部１に当接させた状態において該当接部材６ｂの外側から被嵌されるバンド体10（保持部材）を介して支柱部１に締付け固定される。
【００３４】
符号11は、被嵌体５に巻回状態とした受光部４の端部間に架設される金属板製の架設体、12は支柱部１に配設され筒状となる受光部４の上下開口部を閉塞する金属板製の閉塞体である。
【００３５】
以上の構成からなる太陽電池装置Ｓにおける照明装置３への設置方法について説明する。
【００３６】
支柱部１の任意の位置に被嵌体５を被嵌した後、手で各当接部６を内方に押圧することで支柱部１に当接させ、この各当接部６にバンド体10を被嵌して支柱部１との当接を保持させる。この際、設置する受光部４の枚数に応じて被嵌体５の数を決める。
【００３７】
続いて、被嵌体５の外面にビスやネジなどの止着部材を介して受光部４を止着する。この際、受光部４の＋の配線コネクタ４ａと−の配線コネクタ４ｂを制御ユニット８に接続する。
【００３８】
続いて、被嵌体５に巻回状態とした受光部４の端部間に架設体11を架設するとともに、支柱部１に配設され筒状となる受光部４の上下開口部に閉塞体12を配設して完了する。
【００３９】
本実施例は上述のように構成したから、照明装置３の支柱部１への受光部４の設置は、従来例のように受光部を構成する複数のパネルを連結したりすることなく、適度な可撓性を有する面状体から成る受光部４を支柱部１に巻回状態で配設するだけで良いから、支柱部１に対する受光部４の取り付けが極めて簡易となり、支柱部１への受光部４の取り付け作業性が極めて良好となる。しかも、受光部４は適宜な可撓性を有するから、種々異なるサイズや断面形状の支柱部１に対応して確実に配設することができる（既に設置される照明装置３の支柱部１にも確実に配設できる。）。
【００４０】
また、本実施例は、受光部４は支柱部１に被嵌状態で付設される被嵌体５を介して支柱部１に巻回状態で配設される構成であり、この被嵌体５の内面には支柱部１の周面に対して接離移動して当接する当接部６を具備するから、この点においても支柱部１に対する受光部４の取り付け作業性が極めて良好であり、しかも、種々異なるサイズや断面形状の支柱部１に対応して確実に配設することができることになる。
【００４１】
尚、本発明は、本実施例に限られるものではなく、各構成要件の具体的構成は適宜設計し得るものである。
【図面の簡単な説明】
【００４２】
【図１】本実施例の使用状態説明図である。
【図２】本実施例の設置する状態の説明図である。
【図３】本実施例に係る要部の説明図である。
【図４】本実施例に係る要部の説明図である。
【図５】本実施例に係る要部の説明図である。
【図６】本実施例に係る要部の説明図である。
【図７】本実施例に係る太陽電池装置Ｓの説明図である。
【符号の説明】
【００４３】
Ｓ  太陽電池装置
１  支柱部
２  発光部
３  照明装置
４  受光部
５  被嵌体
６  当接部
10  保持部材
【図１】
2009009913.tif 000003
【図２】
2009009913.tif 000004
【図３】
2009009913.tif 000005
【図４】
2009009913.tif 000006
【図５】
2009009913.tif 000007
【図６】
2009009913.tif 000008
【図７】
2009009913.tif 000009